(57)【要約】【課題】２つの異なる視野角方向に対して個別の映像を表示部に表示する際に、それぞれの視野角方向に対して矛盾のない映像表示および操作を実現可能な表示制御装置を提供する。【解決手段】表示制御装置は、視野角方向Ａ側のサムネイル一覧表示画面５０１の個々のサムネイル画像の上下の向きを１８０°回転させて反転させた画像を、視野角方向Ｂ側のサムネイル一覧表示画面５０２へ表示する。これにより、サムネイル一覧表示画面５０１，５０２の個々のサムネイル画像の表示部１０１上での位置は、視野角方向Ａ及び視野角方向Ｂから閲覧した場合に、同一のサムネイル画像が同一の位置に互いに反転して重なるように配置される。【選択図】図４
2010085835.tif 000002
【特許請求の範囲】
【請求項１】
第１の視野角方向と該第１の視野角方向とは異なる第２の視野角方向とに対して個別の映像を表示可能な表示部の表示を制御する表示制御装置であって、
前記表示部に対する位置の入力を受け付ける受け付け手段と、
前記表示部に表示すべき表示アイテムを取得する取得手段と、
同一の前記表示アイテムを、前記表示部の同一の位置で前記第１の視野角方向と前記第２の視野角方向にそれぞれ合わせた向きで表示するよう制御する表示制御手段と
を有することを特徴とする表示制御装置。
【請求項２】
前記第１および第２の視野角方向は、前記表示部に表示する映像の垂直方向に対して互いに反対方向であることを特徴とする請求項１に記載の表示制御装置。
【請求項３】
前記受け付け手段が、タッチパネルで構成されていることを特徴とする請求項１又は２に記載の表示制御装置。
【請求項４】
前記表示制御手段は、前記表示部に複数の前記表示アイテムを同時に表示するよう制御することを特徴とする請求項１〜３のいずれか一項に記載の表示制御装置。
【請求項５】
前記表示制御手段は、同一の前記表示アイテムを、前記第１の視野角方向および前記第２の視野角方向のそれぞれの視野角方向から閲覧した場合に、前記表示部の同一の位置で閲覧されるように配置して表示するよう制御することを特徴とする請求項１〜４のいずれか一項に記載の表示制御装置。
【請求項６】
前記表示アイテムは、画像、アイコン、ボタンのうちの少なくともいずれかであることを特徴とする請求項１〜６のいずれか一項に記載の表示制御装置。
【請求項７】
前記受け付け手段で受け付ける前記表示部での前記表示アイテムが表示されている位置に対する入力を、該表示アイテムに応じた特定の操作の入力として受け付ける操作受け付け手段を更に有することを特徴とする請求項１〜６のいずれか一項に記載の表示制御装置。
【請求項８】
第１の視野角方向と該第１の視野角方向とは異なる第２の視野角方向とに対して個別の映像を表示可能な表示部の表示を制御する表示制御方法であって、
前記表示部に対する位置の入力を受け付ける受け付けステップと、
前記表示部に表示すべき表示アイテムを取得する取得ステップと、
同一の前記表示アイテムを、前記表示部の同一の位置で前記第１の視野角方向と前記第２の視野角方向にそれぞれ合わせた向きで表示するよう制御する表示制御ステップと
を有することを特徴とする表示制御方法。
【請求項９】
第１の視野角方向と該第１の視野角方向とは異なる第２の視野角方向とに対して個別の映像を表示可能な表示部の表示を制御するコンピュータを、
前記表示部に対する位置の入力を受け付ける受け付け手段、
前記表示部に表示すべき表示アイテムを取得する取得手段、
同一の前記表示アイテムを、前記表示部の同一の位置で前記第１の視野角方向と前記第２の視野角方向にそれぞれ合わせた向きで表示するよう制御する表示制御手段
として機能させるためのプログラム。
【請求項１０】
第１の視野角方向と該第１の視野角方向とは異なる第２の視野角方向とに対して個別の映像を表示可能な表示部の表示を制御するコンピュータを、
前記表示部に対する位置の入力を受け付ける受け付け手段、
前記表示部に表示すべき表示アイテムを取得する取得手段、
同一の前記表示アイテムを、前記表示部の同一の位置で前記第１の視野角方向と前記第２の視野角方向にそれぞれ合わせた向きで表示するよう制御する表示制御手段
として機能させるためのプログラムを記録したコンピュータが読み取り可能な記憶媒体。
【発明の詳細な説明】
【技術分野】
【０００１】
本発明は、第１の視野角方向と該第１の視野角方向とは異なる第２の視野角方向に対して個別の映像を表示可能な表示部の表示を制御する表示制御装置、表示制御方法、プログラム及び記憶媒体に関する。
【背景技術】
【０００２】
従来より、光学分離素子で構成される視差バリアを用い、バックライトからの光を分離することにより、異なる複数の視野角方向から個別の映像を閲覧することが可能な液晶ディスプレイがある。この種の液晶ディスプレイは、例えば、運転席及び助手席のそれぞれの方向から個別の映像を閲覧可能な車載用ＡＶナビゲーションシステムなどに採用されている。
【０００３】
このような液晶ディスプレイを搭載した装置では、それぞれの視野角方向からそれぞれの映像に対して独立して操作を受け付ける必要があり、こうした状況下で発生する課題を解決するために幾つかの技術が提案されている。
【０００４】
例えば、操作入力中には複数の視野角方向からの個別情報表示機能をＯＦＦにして単一の情報のみを表示する技術が提案されている。また、タッチパネルのように表示部の表面で接触を検知し、接触を検知している間は単一の情報のみ表示することで、操作入力者以外のユーザに視覚的な違和感がないようにする技術が提案されている（特許文献１）。
【特許文献１】特開２００５−９１５６１号公報
【発明の開示】
【発明が解決しようとする課題】
【０００５】
ところで、上述したように、異なる複数の視野角方向から個別の映像を閲覧することが可能なディスプレイにおいても、それぞれの視野角方向から共通の映像コンテンツを同時に閲覧したいといった要求も想定される。
【０００６】
このような状況下において、ディスプレイに表示する映像に対して視野角方向が水平方向である場合には、それぞれの視野角に対して共通の映像を表示し、さらに共通の操作系であっても問題は発生しない。
【０００７】
しかし、図５に示すように、２人でテーブルに向かい合ってディスプレイを閲覧するような場合には、ディスプレイに表示する映像に対して視野角方向が垂直方向となる。
【０００８】
図６を参照して、このような状況下において、異なる複数の視野角方向から個別の映像を閲覧することが可能なディスプレイを利用したビデオカメラにて、サムネイル一覧表示画面を閲覧する場合について説明する。
【０００９】
図６において、ディスプレイ３０１は、複数の視野角方向に対して個別の映像を表示可能であり、かつ表面の接触を検知するタッチパネル式とされている。また、ディスプレイ３０１を図の下方（視野角方向Ａ）から閲覧した場合の映像情報をサムネイル一覧表示画面３０２とし、図の上方（視野角方向Ｂ）から閲覧した場合の映像情報をサムネイル一覧表示画面３０３としている。
【００１０】
共通のサムネイル一覧表示画面３０２，３０３を閲覧中に、視野角方向Ａの位置にいるユーザＡがサムネイル一覧表示画面３０２の中から画像３０４を選択して拡大表示操作をする場合、ユーザＡは画像３０４の位置に触れることで、拡大表示操作を行なう。
【００１１】
このとき、視野角方向Ｂの位置にいるユーザＢに対しては、ユーザＡが触れた位置は、サムネイル一覧表示画面３０３の画像３０５の位置を指すことになる。ここで、視野角方向Ａの位置にいるユーザＡに対しては、選択した画像３０４が拡大された画像３０６が表示される。
【００１２】
しかし、視野角方向Ｂの位置にいるユーザＢに対しては、ユーザＡによって画像３０５の位置が選択されたにも関わらず、視野角方向Ａから閲覧可能な画像３０６と同一の画像３０７が拡大表示される。従って、視野角方向Ｂの位置にいるユーザＢは、選択された画像３０５と拡大表示された画像３０７とが異なるため、違和感がある。
【００１３】
そこで、本発明は、２つの異なる視野角方向に対して個別の映像を表示部に表示する際に、それぞれの視野角方向に対して矛盾のない映像表示および操作を実現可能な表示制御装置、表示制御方法、プログラム及び記憶媒体を提供することを目的とする。
【課題を解決するための手段】
【００１４】
上記目的を達成するために、本発明の表示制御装置は、第１の視野角方向と該第１の視野角方向とは異なる第２の視野角方向とに対して個別の映像を表示可能な表示部の表示を制御する表示制御装置であって、前記表示部に対する位置の入力を受け付ける受け付け手段と、前記表示部に表示すべき表示アイテムを取得する取得手段と、同一の前記表示アイテムを、前記表示部の同一の位置で前記第１の視野角方向と前記第２の視野角方向にそれぞれ合わせた向きで表示するよう制御する表示制御手段とを有することを特徴とする。
【００１５】
本発明の表示制御方法は、第１の視野角方向と該第１の視野角方向とは異なる第２の視野角方向とに対して個別の映像を表示可能な表示部の表示を制御する表示制御方法であって、前記表示部に対する位置の入力を受け付ける受け付けステップと、前記表示部に表示すべき表示アイテムを取得する取得ステップと、同一の前記表示アイテムを、前記表示部の同一の位置で前記第１の視野角方向と前記第２の視野角方向にそれぞれ合わせた向きで表示するよう制御する表示制御ステップとを有することを特徴とする。
【００１６】
本発明のプログラムは、第１の視野角方向と該第１の視野角方向とは異なる第２の視野角方向とに対して個別の映像を表示可能な表示部の表示を制御するコンピュータを、前記表示部に対する位置の入力を受け付ける受け付け手段、前記表示部に表示すべき表示アイテムを取得する取得手段、同一の前記表示アイテムを、前記表示部の同一の位置で前記第１の視野角方向と前記第２の視野角方向にそれぞれ合わせた向きで表示するよう制御する表示制御手段として機能させることを特徴とする。
【００１７】
本発明のコンピュータが読み取り可能な記憶媒体は、第１の視野角方向と該第１の視野角方向とは異なる第２の視野角方向とに対して個別の映像を表示可能な表示部の表示を制御するコンピュータを、前記表示部に対する位置の入力を受け付ける受け付け手段、前記表示部に表示すべき表示アイテムを取得する取得手段、同一の前記表示アイテムを、前記表示部の同一の位置で前記第１の視野角方向と前記第２の視野角方向にそれぞれ合わせた向きで表示するよう制御する表示制御手段として機能させるためのプログラムを記録したことを特徴とする。
【発明の効果】
【００１８】
本発明によれば、２つの異なる視野角方向に対して個別の映像を表示部に表示する場合に、それぞれの視野角方向から操作が入力された場合であっても、それぞれの視野角方向に対して矛盾のない映像表示を実現することができる。
【発明を実施するための最良の形態】
【００１９】
以下、本発明の実施形態の一例を図面を参照して説明する。
【００２０】
図１は、本発明の表示制御装置の実施形態の一例であるビデオプレーヤを説明するためのブロック図である。
【００２１】
本実施形態のビデオプレーヤは、図１に示すように、表示部１０１、操作部１０２、ＣＰＵ１０３、映像信号処理部１０４、再生処理部１０５、記憶媒体１０６を備える。
【００２２】
表示部１０１は、視差バリアとバックライトにより視野角方向を制御可能な液晶パネル１０１ａとタッチパネル１０１ｂとで構成される。
【００２３】
液晶パネル１０１ａは、例えば、垂直方向の偶数ラインは表示部１０１の下方向からの第１の視野角方向（以下、視野角方向Ａという）、奇数ラインは、表示部１０１の上方向からの第２の視野角方向（以下、視野角方向Ｂという）に対して表示可能である。即ち、液晶パネル１０１ａは、図５において、映像の垂直方向に対して互いに反対方向からからそれぞれ個別の映像を閲覧することが可能となっている。
【００２４】
タッチパネル１０１ｂおよび操作部１０２は、それぞれユーザインタフェイスであり、ＣＰＵ１０３は、ユーザ操作によりタッチパネル１０１ｂ又は操作部１０２から送信される信号に基づいて、ビデオプレーヤを構成する各部を制御する。
【００２５】
操作部１０２は、主に装置の電源、各種メニュー、モード切り替えなどの操作系である。タッチパネル１０１ｂは、表示部１０１に対する位置の入力を受け付ける。タッチパネル１０１ｂには、映像再生における映像コンテンツの選択、再生・停止、早送り、巻き戻しなどのメニュー画面や各種操作ボタン画像、及び複数のサムネイル画像などが表示される。
【００２６】
映像信号処理部１０４は、タッチパネル１０１ｂ又は操作部１０２から送信される信号に基づくＣＰＵ１０３の表示制御により、所定の映像信号処理を実行する。
【００２７】
例えば、映像信号処理部１０４は、図２に示すように、再生処理部１０５から供給される映像信号を基に、視野角方向Ａに対する再生映像と、視野角方向Ａに対して上下反転した視野角方向Ｂに対する再生映像とを生成する。
【００２８】
また、映像信号処理部１０４は、不図示のＯＳＤ（オンスクリーン・ディスプレイ）制御部により視野角方向Ａ及び視野角方向Ｂに対して独立して生成されるタッチパネル１０１ｂ用のメニュー画面や各種操作ボタン画像などを再生映像に重畳する。そして、映像信号処理部１０４は、再生映像にメニュー画面や各種操作ボタン画像などを重畳した視野角方向Ａ及び視野角方向Ｂのそれぞれの映像信号を表示部１０１に対して供給する。
【００２９】
また、映像信号処理部１０４は、タッチパネル１０１ｂに表示されるメニュー画面や各種操作ボタン画像などの操作に基づくＣＰＵ１０３の表示制御により、タッチパネル１０１ｂに表示するための選択用の複数のサムネイル画像（図３参照）を生成する。
【００３０】
ここで、映像信号処理部１０４は、表示部１０１に複数のサムネイル画像を同時に表示し、かつ同一のサムネイル画像を表示部１０１の同一の位置で視野角方向Ａと視野角方向Ｂにそれぞれ合わせた向きで表示するための映像信号を生成して表示部１０１に供給する。具体的には、映像信号処理部１０４は、同一のサムネイル画像を、視野角方向Ａおよび視野角方向Ｂのそれぞれの視野角方向から閲覧した場合に、表示部１０１上の同一の位置で閲覧されるように配置して表示するための映像信号を生成して表示部１０１に供給する。
【００３１】
また、タッチパネル１０１ｂは、表示部１０１に表示されている複数のサムネイル画像のうちの所定の位置のサムネイル画像に対するユーザによる入力を、該サムネイル画像に応じた特定の操作の入力として受け付ける操作受け付け手段を構成する。タッチパネル１０１ｂに特定の操作が入力されると、その操作信号はＣＰＵ１０３に送信される。
【００３２】
そして、映像信号処理部１０２は、前記操作信号に基づくＣＰＵ１０３の表示制御により、タッチパネル１０１ｂ上でユーザにより入力されたサムネイル画像を拡大して表示部１０１に表示するための映像信号を生成して表示部１０１に供給する。
【００３３】
再生処理部１０５は、タッチパネル１０１ｂ又は操作部１０２から送信される信号に基づくＣＰＵ１０３の制御により、記憶媒体１０６に記録されている映像信号から表示部１０１に表示すべき映像信号を読み出して取得する。そして、再生処理部１０５は、取得した映像信号を復号化して映像信号処理部１０４へ供給する。
【００３４】
記憶媒体１０６は、ＨＤＤ（ハードディスクドライブ）、不揮発性メモリ、光磁気ディスクなどで構成されている。なお、記憶媒体１０６は、ビデオプレーヤに対して着脱可能であってもよい。
【００３５】
次に、図３及び図４を参照して、本実施形態のビデオプレーヤにおける映像信号処理部１０２での処理による表示部１０１での表示例について説明する。なお、ここでは、図５に示すように、２人でテーブルに向かい合って１つの表示部１０１を閲覧し、視野角方向が上下方向となる場合において、サムネイル一覧表示画面から選択したサムネイル画像に関連した動画を再生する場合について説明する。
【００３６】
図３において、視野角方向Ａから閲覧するユーザＡに対しては、６枚のサムネイル画像からなるサムネイル一覧表示画面５０１が表示部１０１に表示される。また、視野角方向Ｂから閲覧するユーザＢに対しても、上記同様に６枚のサムネイル画像からなるサムネイル一覧表示画面５０２が表示部１０１に表示される。
【００３７】
ここで、サムネイル一覧表示画面５０１，５０２のうち、所望のサムネイル画像をタッチパネル１０１ｂ上で直接触れて選択することで、選択したサムネイル画像に関連する動画が拡大されて再生される。
【００３８】
即ち、視野角方向Ａから閲覧しているユーザＡが、サムネイル一覧表示画面５０１において、例えばサムネイル画像５０１Ａに触れることで、サムネイル画像５０１Ａに関連する動画が拡大して再生され、これにより、所望の動画を閲覧することが可能となる。視野角方向Ｂから閲覧しているユーザＢも同様に、所望のサムネイル画像に触れることで、所望の動画を閲覧することが可能となる。
【００３９】
ここで、ユーザＡが所望のサムネイル画像を選択して動画再生操作を行なう際に、ユーザＡが表示部１０１上のどの位置のサムネイル画像に触れたかを、対面のユーザＢからも直接確認することができるほどユーザＡ，Ｂが近距離にいる場合が想定される。
【００４０】
本実施形態では、ユーザＡが表示部１０１上の触れた位置にあるサムネイル画像と、ユーザＢが視野角方向Ｂから閲覧する場合に、ユーザＡが触れた位置と同一の位置に配置されているサムネイル画像とは、同一の画像となるように表示される。
【００４１】
つまり、どちらの視野角方向から閲覧した場合も、同一のサムネイル画像が表示部１０１上の同一の位置に表示されるため、視野角方向Ａ及び視野角方向Ｂから閲覧した場合にも、ユーザＡが選択したサムネイル画像に関連する動画の再生が開始される。
【００４２】
視野角方向Ｂから閲覧するユーザＢにとっても、ユーザＡが選択したサムネイル画像に関連した動画が再生されるために、両ユーザＡ，Ｂにとって違和感を与えることのないようになっている。
【００４３】
つまり、視野角方向Ａ側のサムネイル一覧表示画面５０１の上下の向きを１８０°回転させて反転させるのではなく、個々のサムネイル画像の上下の向きを１８０°回転させて反転させた画像を、視野角方向Ｂ側のサムネイル一覧表示画面５０２へ表示する。
【００４４】
これにより、図４に示すように、サムネイル一覧表示画面５０１，５０２の個々のサムネイル画像の表示部１０１上での位置は、視野角方向Ａ及び視野角方向Ｂから閲覧した場合でも同一のサムネイル画像が同一の位置に反転して互いに重なるように配置される。
【００４５】
なお、上記の説明では、視野角方向Ａからの操作について説明したが、視野角方向Ｂからの操作の場合も同様である。即ち、視野角方向Ａから閲覧するユーザＡにとっても、ユーザＢが選択したサムネイル画像に関連した動画が再生されるために、両ユーザＡ，Ｂにとって違和感を与えることのないようになっている。
【００４６】
以上説明したように、本実施形態では、２つの異なる視野角方向に対して個別の映像を表示部１０１に表示する場合に、それぞれの視野角方向から操作が入力された場合であっても、それぞれの視野角方向に対して矛盾のない映像表示を実現することができる。
【００４７】
なお、本発明は、上記実施形態に例示したものに限定されるものではなく、本発明の要旨を逸脱しない範囲において適宜変更可能である。
【００４８】
例えば、上記実施形態では、表示制御装置としてビデオプレーヤを例示したが、これに限定されず、録画機能を持ったビデオレコーダや撮像部を備えたカムコーダなどの表示制御装置に本発明を適用してもよい。
【００４９】
また、上記実施形態では、表示アイテムとしてサムネイル画像を例示したが、これに限定されず、アイコンや操作を受け付ける操作ボタンなどの表示アイテムにも本発明を適用可能である。
【００５０】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００５１】
この場合、記憶媒体から読み出されたプログラムコード自体が前述した実施の形態の機能を実現することになり、そのプログラムコード及び該プログラムコードを記憶した記憶媒体は本発明を構成することになる。
【００５２】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００５３】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００５４】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００５５】
【図１】本発明の表示制御装置の実施形態の一例であるビデオプレーヤを説明するためのブロック図である。
【図２】映像信号処理部での処理の一例を説明するためのイメージ図である。
【図３】映像信号処理部での処理による視野角方向Ａ及び視野角方向Ｂにおける表示部での表示例について説明するためのイメージ図である。
【図４】視野角方向Ａ側のサムネイル一覧表示画面の個々のサムネイル画像の上下の向きを１８０°回転させて反転させた画像を、視野角方向Ｂ側のサムネイル一覧表示画面へ表示する処理を説明するためのイメージ図である。
【図５】２人でテーブルに向かい合って表示部を閲覧する場合を示すイメージ図である。
【図６】従来例による、視野角方向Ａ及び視野角方向Ｂにおける表示部での表示例について説明するためのイメージ図である。
【符号の説明】
【００５６】
１０１    表示部
１０１ａ  液晶パネル
１０１ｂ  タッチパネル
１０２    操作部
１０３    ＣＰＵ
１０４    映像信号処理部
１０５    再生処理部
１０６    記録媒体
【図１】
2010085835.tif 000003
【図２】
2010085835.tif 000004
【図３】
2010085835.tif 000005
【図４】
2010085835.tif 000006
【図５】
2010085835.tif 000007
【図６】
2010085835.tif 000008